(57)【要約】【課題】ユーザの嗜好を高精度に反映した嗜好情報を生成できるようにする。【解決手段】番組記録再生装置１は、字幕コーダ２２及びキーワード抽出部２３により放送中のテレビジョン番組からキーワードＫＷを抽出し、キーワード抽出アイコンＩＣを表示画面に表示させてユーザにこの時点における評価を行わせ、その評価結果を基に、嗜好情報管理部２４によって当該キーワードＫＷに対応する嗜好値ＶＰを増減することにより、テレビジョン番組の一場面に対するユーザの評価を基に、当該一場面に関連性が高いキーワードＫＷに対する嗜好値ＶＰを増減させることができるので、嗜好情報データベースＤＢＰにユーザの嗜好を高い精度で反映させることができる。【選択図】図１
2008124574.tif 000002
【特許請求の範囲】
【請求項１】
場面ごとに文字情報が対応付けられた映像コンテンツを再生する際に、再生中の場面に対応付けられた上記文字情報を取得する文字情報取得部と、
上記文字情報を基に、ユーザの嗜好を測るためのキーワードを抽出するキーワード抽出部と、
上記キーワードを抽出したことを上記ユーザに提示する提示部と、
上記提示に対する上記ユーザの応答に応じて、上記抽出したキーワードに対する上記ユーザの嗜好を数値化した嗜好値を設定する嗜好値設定部と、
上記キーワードと上記嗜好値とを対応付け上記ユーザの嗜好情報として所定の記憶手段に記憶する記憶部と
を具えることを特徴とする嗜好抽出装置。
【請求項２】
上記文字情報取得部は、
上記映像コンテンツに付された字幕情報から上記文字情報を取得する
ことを特徴とする請求項１に記載の嗜好抽出装置。
【請求項３】
上記文字情報取得部は、
上記映像コンテンツを上記場面ごとに補足する補足情報から上記文字情報を取得する
ことを特徴とする請求項１に記載の嗜好抽出装置。
【請求項４】
上記嗜好値設定部は、
所定の操作部に対する上記ユーザの操作に応じて上記嗜好値を設定する
ことを特徴とする請求項１に記載の嗜好抽出装置。
【請求項５】
上記嗜好値設定部は、
上記ユーザを撮像する撮像部と、当該撮像部による撮像結果を基に上記ユーザの動作を認識する動作認識部とを有し、当該動作認識部により認識した上記ユーザの動作に応じて上記嗜好値を設定する
ことを特徴とする請求項１に記載の嗜好抽出装置。
【請求項６】
上記嗜好値設定部は、
周囲の音声を集音する集音部と、当該集音部による集音結果を基に上記ユーザが発した音声を認識する音声認識部とを有し、当該音声認識部により認識した上記ユーザの音声に応じて上記嗜好値を設定する
ことを特徴とする請求項１に記載の嗜好抽出装置。
【請求項７】
上記提示部は、
上記映像コンテンツの映像を表示する表示画面の一部又は全体に所定のマークを表示することにより、上記キーワードを抽出したことを上記ユーザに提示する
ことを特徴とする請求項１に記載の嗜好抽出装置。
【請求項８】
上記提示部は、
上記映像コンテンツの映像を表示する表示画面の一部又は全体に上記キーワードを表示することにより、当該キーワードを抽出したことを上記ユーザに提示する
ことを特徴とする請求項１に記載の嗜好抽出装置。
【請求項９】
複数の上記映像コンテンツから上記嗜好情報に合致する上記映像コンテンツを検索する検索手段と
を具え、
上記提示部は、
上記映像コンテンツの映像を表示する表示画面の一部又は全体に上記キーワードを表示すると共に、上記検索手段による当該キーワードを用いた検索結果を表示する
ことを特徴とする請求項１に記載の嗜好抽出装置。
【請求項１０】
場面ごとに文字情報が対応付けられた映像コンテンツを再生する際に、再生中の場面に対応付けられた上記文字情報を取得する文字情報ステップと、
上記文字情報を基に、ユーザの嗜好を測るためのキーワードを抽出するキーワード抽出ステップと、
上記キーワードを抽出したことを上記ユーザに提示する提示ステップと、
上記提示に対する上記ユーザの応答に応じて、上記抽出したキーワードに対する上記ユーザの嗜好を数値化した嗜好値を設定し、上記キーワードと上記嗜好値とを対応付け上記ユーザの嗜好情報として所定の記憶手段に記憶させる嗜好値設定ステップと
を具えることを特徴とする嗜好抽出方法。
【請求項１１】
コンピュータに対して、
場面ごとに文字情報が対応付けられた映像コンテンツを再生する際に、再生中の場面に対応付けられた上記文字情報を取得する文字情報ステップと、
上記文字情報を基に、ユーザの嗜好を測るためのキーワードを抽出するキーワード抽出ステップと、
上記キーワードを抽出したことを上記ユーザに提示する提示ステップと、
上記提示に対する上記ユーザの応答に応じて、上記抽出したキーワードに対する上記ユーザの嗜好を数値化した嗜好値を設定し、上記キーワードと上記嗜好値とを対応付け上記ユーザの嗜好情報として所定の記憶手段に記憶させる嗜好値設定ステップと
を実行させることを特徴とする嗜好抽出プログラム。
【発明の詳細な説明】
【技術分野】
【０００１】
本発明は嗜好抽出装置、嗜好抽出方法及び嗜好抽出プログラムに関し、例えば放送されるテレビジョン番組を記録及び再生する番組記録再生装置に適用して好適なものである。
【背景技術】
【０００２】
従来、番組記録再生装置においては、ハードディスクドライブ等の記録媒体を搭載し、例えばユーザの操作に応じて、地上ディジタル放送等の放送波を介して放送されるテレビジョン番組を記録し、また再生するようになされたものが広く普及している。
【０００３】
また番組記録再生装置のなかには、テレビジョン番組の番組内容や出演者等の番組情報を放送波により配信するＥＰＧ（Electronic Program Guide：電子番組ガイド）を利用することにより、例えば予め設定されたキーワードに合致するテレビジョン番組を自動的に記録（すなわち録画）するようになされたものがある。
【０００４】
さらに番組記録再生装置の一例として、ユーザの嗜好に関する情報を表す嗜好情報を内部に有し、テレビジョン番組の録画予約操作や録画済み番組の消去操作等、当該ユーザの操作履歴等に応じて当該ユーザの嗜好を当該嗜好情報に反映させた上で、当該嗜好情報を基に当該ユーザの嗜好に合致するようなテレビジョン番組を選択して記録するようになされたものも提案されている（例えば、特許文献１参照）。
【特許文献１】特開２００４−０７２５０２公報（第６図）
【発明の開示】
【発明が解決しようとする課題】
【０００５】
ところで、一般に、一つの番組は複数の場面やコーナー等の組み合わせにより構成されている。このためユーザは、各場面や各コーナー等に対して、それぞれ面白いか面白くないか、或いは興味があるか興味がないかといった感想等を持っていると考えられる。
【０００６】
しかしながら上述した番組記録再生装置では、ユーザによる番組単位の操作に応じて嗜好情報を更新することになるため、各場面や各コーナー等に対して持っている感想等を必ずしも良好に反映できるとは限らず、当該ユーザの嗜好が嗜好情報に反映される精度が低くなってしまうという問題があった。
【０００７】
本発明は以上の点を考慮してなされたもので、ユーザの嗜好を高精度に反映した嗜好情報を生成し得る嗜好抽出装置、嗜好抽出方法及び嗜好抽出プログラムを提案しようとするものである。
【課題を解決するための手段】
【０００８】
かかる課題を解決するため本発明においては、場面ごとに文字情報が対応付けられた映像コンテンツを再生する際に、再生中の場面に対応付けられた文字情報を取得し、文字情報を基に、ユーザの嗜好を測るためのキーワードを抽出し、キーワードを抽出したことをユーザに提示し、提示に対するユーザの応答に応じて、抽出したキーワードに対するユーザの嗜好を数値化した嗜好値を設定し、キーワードと嗜好値とを対応付けユーザの嗜好情報として所定の記憶手段に記憶するようにした。
【０００９】
これにより、映像コンテンツの一場面に対するユーザの応答を基に、当該一場面に対するユーザの嗜好を、当該一場面から抽出されたキーワードに対する当該ユーザの嗜好値とした嗜好情報を得ることができる。
【発明の効果】
【００１０】
本発明によれば、映像コンテンツの一場面に対するユーザの応答を基に、当該一場面に対するユーザの嗜好を、当該一場面から抽出されたキーワードに対する当該ユーザの嗜好値とした嗜好情報を得ることができ、かくしてユーザの嗜好を高精度に反映した嗜好情報を生成し得る嗜好抽出装置、嗜好抽出方法及び嗜好抽出プログラムを実現できる。
【発明を実施するための最良の形態】
【００１１】
以下、図面について、本発明の一実施の形態を詳述する。
【００１２】
（１）番組記録再生装置の構成
図１において、番組記録再生装置１は、地上ディジタルテレビジョン放送等により放送されるテレビジョン番組を受信して記録（すなわち録画）しておき、この録画したテレビジョン番組を再生することにより、外部のモニタ装置等（図示せず）を介してその映像及び音声をユーザに視聴させ得るようになされている。
【００１３】
この番組記録再生装置１は、制御部２により全体を統括制御するようになされている。制御部２は、ＣＰＵ（Central Processing Unit）３を中心に構成されており、システムバス６を介して接続されたＲＯＭ（Read Only Memory）４から基本プログラムや嗜好情報更新プログラム、或いは番組検索プログラム等の各種プログラムを読み出し、ＲＡＭ（Random Access Memory）５に展開して実行することにより、嗜好情報更新処理や番組検索処理等を行い得るようになされている。
【００１４】
また番組記録再生装置１は、図示しない操作部を介してユーザによる操作を受け付ける他、当該ユーザによりリモートコントローラ７に対して操作がなされると、当該リモートコントローラ７から送信される赤外線信号を入力インタフェース８の赤外線受光部（図示せず）を介して受光し、所定の操作信号に変換しシステムバス６を介して制御部２へ供給する。このとき制御部２は、当該操作信号に応じて各種処理を実行するようになされている。
【００１５】
例えば、受信すべきテレビジョン放送局を切り換える操作、いわゆるチャンネルを切り換える操作がユーザによりリモートコントローラ７に対してなされた場合、制御部２は、入力インタフェース８から供給される操作信号を基に切り換えるべきチャンネルをチューナ１０へ指示する。
【００１６】
このとき番組記録再生装置１では、図示しないアンテナを介して受信したディジタル放送信号のうち制御部２から指示されたチャンネルに相当する周波数帯をチューナ１０により抽出し、これを次の復調器１１により復調し、さらにデスクランブラ１２によりスクランブルを解除した後、多重分離器１３により複数チャンネル分のテレビジョン番組を構成する映像データパケットＰＶ、音声データパケットＰＡ、ＥＰＧ情報パケットＰＥ及び字幕情報パケットＰＴ等に分離する。
【００１７】
多重分離器１３は、指定されたチャンネルの映像データパケットＰＶを映像デコーダ１４へ、音声データパケットＰＡを音声デコーダ１７へ、字幕情報パケットＰＴを字幕デコーダ２２へ供給すると共に、各チャンネルのＥＰＧ情報パケットＰＥをシステムバス６経由で制御部２へ送出する。
【００１８】
映像デコーダ１４は、映像データパケットＰＶに対して、例えばＭＰＥＧ（Motion Pictures Expert Group）２−Ｖｉｄｅｏ方式で復号化することにより映像信号ＳＶを生成し、これを映像信号処理部１５へ供給する。
【００１９】
映像信号処理部１５は、映像信号ＳＶをＮＴＳＣ方式に変換すると共に各種ミキシング処理等を施すことにより出力映像信号ＳＶＯを生成し、これを映像出力端子１６に接続されたモニタ装置（図示せず）へ出力する。これに応じてモニタ装置（図示せず）は、出力映像信号ＳＶＯに基づく映像を表示パネル（図示せず）に表示するようになされている。
【００２０】
一方、音声デコーダ１７は、音声データパケットＰＡに対して、例えばＭＰＥＧ２−Ａｕｄｉｏ方式で復号化することによりディジタル音声信号ＤＡを生成し、これを音声信号処理部１８によりＤ／Ａ（Digital / Analog）変換やイコライジング等の音声信号処理を行わせてアナログの音声信号ＳＡを生成させた後、音声出力端子に接続されたアンプ装置（図示せず）へ出力する。これに応じてアンプ装置（図示せず）は、音声信号ＳＡに基づく音声をスピーカ（図示せず）から放音させるようになされている。
【００２１】
さらに制御部２は、ＥＰＧ情報パケットＰＥからテレビジョン番組のタイトルや放送日時等のＥＰＧ情報を取り出し、これらをハードディスクドライブインタフェース（HDD I/F）２０へ送出することにより、当該ＥＰＧ情報をハードディスクドライブ（HDD）２１内に構成されているＥＰＧデータベースＤＢＥ（図示せず）に格納する。
【００２２】
ところで制御部２は、ユーザからリモートコントローラ７を介して放送中のテレビジョン番組を録画する指示を受けた場合、システムバス６を介して映像データパケットＰＶ、音声データパケットＰＡ及び字幕情報パケットＰＴ等の各種パケットをハードディスクドライブインタフェース２０へ供給する。
【００２３】
これに応じてハードディスクドライブインタフェース２０は、ＥＰＧ情報パケットＰＥから取得したテレビジョン番組名等が付されたファイルを作成し、当該ファイル内に映像データパケットＰＶから取り出した映像データ、音声データパケットＰＡから取り出した音声データ、及び字幕情報パケットＰＴから取り出した字幕情報データ等の各種データを順次ハードディスクドライブ２１に格納することにより、当該テレビジョン番組を記録（すなわち録画）する。以下、このように録画されたテレビジョン番組を録画済番組と呼ぶ。
【００２４】
また制御部２は、ハードディスクドライブ２１に格納されている録画済番組を管理するための管理データベースを作成している。例えば制御部２は、ユーザからリモートコントローラ７を介して、ハードディスクドライブ２１に格納されている録画済番組を一覧表示する指示を受けた場合、管理データベースの内容を読み出して映像信号処理部１５へ供給することにより録画済番組の一覧表示画面を生成させ、これをモニタ装置（図示せず）に表示させる。
【００２５】
ここで制御部２は、一覧表示画面中の録画済番組が選択された場合、当該録画済番組の再生を開始する。すなわち制御部２は、ハードディスクドライブ２１に記録されている当該録画済番組のファイルから映像データを読み出して映像デコーダ１４へ供給すると共に、音声データを読み出して音声デコーダ１７へ供給する。
【００２６】
その後制御部２は、放送中のテレビジョン番組を受信した場合と同様に、映像デコーダ１４及び映像信号処理部１５により出力映像信号ＳＶＯを生成してモニタ装置へ供給すると共に、音声デコーダ１７及び音声信号処理部１８により音声信号ＳＡを生成してアンプ装置へ供給することにより、録画済番組を再生してユーザに視聴させるようになされている。
【００２７】
ところで制御部２は、テレビジョン放送の受信中又は録画済番組の再生中に、リモートコントローラ７を介して字幕を表示する指示を受けた場合、字幕デコーダ２２により字幕情報パケットＰＴ又は字幕情報データから字幕情報ＴＸを抽出させ、これを映像信号処理部１５及びキーワード抽出部２３へ供給させる。
【００２８】
この場合、映像信号処理部１５は、字幕情報ＴＸを基にした字幕画面を映像信号ＳＶにより表される映像に重畳することにより、出力映像信号ＳＶＯを生成してモニタ装置へ供給する。これにより制御部２は、字幕情報ＴＸに基づく文字が重畳された映像をユーザに鑑賞させることができる。
【００２９】
このように番組記録再生装置１は、放送中のテレビジョン番組を受信し、外部のモニタ装置を介して当該テレビジョン番組をユーザに視聴させ、また当該テレビジョン番組をハードディスクドライブ２１に記録して録画済番組とし、或いは当該録画済番組をハードディスクドライブ２１から読み出して再生し得るようになされている。
【００３０】
（２）キーワードによる嗜好情報の更新
ところで、ユーザは、例えば番組記録再生装置１を単なるテレビジョン放送の受信装置として利用し、特に視聴したいテレビジョン番組を決めずに、チャンネルを切り換えながら各テレビジョン番組を部分ごとに視聴するような場合がある。
【００３１】
ここで、あるチャンネルで放送されたあるテレビジョン番組のうちユーザが実際に視聴した区間（以下、これを視聴区間ＳＣと呼ぶ）を時間軸に沿って表すと、例えば図２（Ａ）のように表すことができる。この図２（Ａ）では、時刻ｔ１からｔ２までの視聴区間ＳＣ１、時刻ｔ３からｔ４までの視聴区間ＳＣ２、及び時刻ｔ５から時刻ｔ６までの視聴区間ＳＣ３について、当該テレビジョン番組をユーザが実際に視聴したことを表している。
【００３２】
このときユーザは、一つのテレビジョン番組について一様な印象や感想を持つとは限らず、同一のテレビジョン番組の一部分である各視聴区間ＳＣに対して、それぞれ異なった印象や感想を持つ可能性がある。
【００３３】
例えば図２（Ａ）と対応する図２（Ｂ）に示すように、ユーザは、視聴区間ＳＣ１及びＳＣ３については興味を有し肯定的な印象や感想等を持ったものの、視聴区間ＳＣ２については興味が無く否定的な印象や感想等を持つ可能性がある。
【００３４】
そこで番組記録再生装置１は、一つの番組であってもユーザが場面ごとに異なる印象や感想等を持つことを踏まえて、ユーザの嗜好を調べるようになされている。
【００３５】
（２−１）キーワードの抽出
まず番組記録再生装置１は、放送中のテレビジョン番組からキーワードＫＷを抽出するようになされている。具体的に番組記録再生装置１は、放送されているテレビジョン番組の受信中に、字幕デコーダ２２により字幕情報ＴＸを生成し、キーワード抽出部２３により当該字幕情報ＴＸに含まれているキーワードＫＷを抽出する。
【００３６】
ここでキーワードＫＷとは、ユーザの嗜好を調べる際に対象とする文字列であり、例えば「サッカー」、「料理」、「旅行」のような名詞、或いは地名や人名のような固有名詞等でなる。
【００３７】
キーワード抽出部２３は、図２に示すように、形態素解析器２３Ａ及びキーワード抽出器２３Ｂにより構成されている。
【００３８】
この形態素解析器２３Ａは、連続した文字列でなる字幕情報ＴＸに対して、形態素解析処理を施すことにより、当該字幕情報ＴＸを形態素ＭＲと呼ばれる比較的短い文字列に分割し、各形態素ＭＲを後段のキーワード抽出器２３Ｂへ順次供給する。因みに形態素ＭＲは、言語として意味を有する最小単位の文字列であり、一般には品詞を見分ける際に多く用いられるものである。
【００３９】
一方、ハードディスクドライブ２１には、分割された形態素ＭＲのうちユーザの嗜好を測るのに適した形態素ＭＲをキーワードＫＷとして選択するための条件がキーワード条件ＣＫとして格納されている。
【００４０】
キーワード抽出器２３Ｂは、ハードディスクドライブ２１からキーワード条件ＣＫを読み出し、形態素解析器２３Ａから順次供給される形態素ＭＲのうち、当該キーワード条件ＣＫに合致するものをキーワードＫＷとして選択し、これを映像信号処理部１５、嗜好情報管理部２４及び検索処理部２５へ供給する。
【００４１】
このようにキーワード抽出部２３は、字幕情報ＴＸを形態素ＭＲに分割し、各形態素ＭＲのうちキーワード条件ＣＫに合致するものをキーワードＫＷとして抽出するようになされている。
【００４２】
（２−２）嗜好情報の更新
映像信号処理部１５は、キーワード抽出部２３からキーワードＫＷが供給されると、映像信号ＳＶが表す映像の一部（例えば右下部分等）に所定形状のキーワード抽出アイコンＩＣを配置した出力映像信号ＳＶＯを生成する。これにより番組記録再生装置１は、図４に示すように、モニタ装置により表示される表示画面Ｐ１上にキーワード抽出アイコンＩＣを表示させ、当該キーワードＫＷが検出されたことをユーザに通知するようになされている。
【００４３】
一方、ユーザは、キーワード抽出アイコンＩＣが表示画面Ｐ１上に表示された場合、リモートコントローラ７に設けられた「興味あり」ボタン又は「興味なし」ボタンのいずれかを押下することにより評価を行うべきであることを予め知らされている。
【００４４】
番組記録再生装置１の制御部２（図１）は、ユーザからの応答を待ち受け、例えばリモートコントローラ７の「興味あり」ボタンが押下されたことを認識すると、肯定的な評価が得られたものとして肯定評価信号ＳＶＰを生成し、システムバス６を介してこれを嗜好情報管理部２４へ供給する。
【００４５】
また制御部２は、ユーザによる応答としてリモートコントローラ７の「興味なし」ボタンが押下されたことを認識すると、否定的な評価が得られたものとして否定評価信号ＳＶＮを生成し、システムバス６を介してこれを嗜好情報管理部２４へ供給する。
【００４６】
このときユーザは、テレビジョン番組のうち、この時点で視聴している場面についての印象や感想等を基に評価を行うことになる。
【００４７】
ところでハードディスクドライブ２１内には、嗜好情報管理部２４の管理の下で、キーワードＫＷと当該キーワードＫＷに対する嗜好の度合いを表す嗜好値ＶＰとが対応付けられた嗜好情報データベースＤＢＰが構成されている。この嗜好値ＶＰは、例えば嗜好の度合いが低い時の値０から嗜好の度合いが高いときの値１までの間で変動するようになされ、初期値が値０．５となされている。
【００４８】
嗜好情報管理部２４は、キーワード抽出部２３からキーワードＫＷが供給されると、まず嗜好情報データベースＤＢＰ内で当該キーワードＫＷを検索し、検出できた場合には当該キーワードＫＷに対応付けられた嗜好値ＶＰを読み出す。また嗜好情報管理部２４は、嗜好情報データベースＤＢＰ内で当該キーワードＫＷを検出できなかった場合には、当該キーワードＫＷに対応する嗜好値ＶＰを初期値とする。
【００４９】
次に嗜好情報管理部２４は、制御部２から肯定評価信号ＳＶＰ又は否定評価信号ＳＶＮ（以下、これらをまとめて評価信号ＳＶと呼ぶ）を取得すると、キーワード抽出部２３から供給されたキーワードＫＷに対応付けられた嗜好値ＶＰを増減させる。
【００５０】
具体的に嗜好情報管理部２４は、制御部２から肯定評価信号ＳＶＰを取得した場合にはキーワードＫＷの嗜好値ＶＰに値０．１を加算し、否定評価信号ＳＶＮを取得した場合には当該嗜好値ＶＰから値０．１を減算するようになされている。
【００５１】
続いて嗜好情報管理部２４は、更新後の嗜好値ＶＰをキーワードＫＷに対応付けて、嗜好情報データベースＤＢＰに格納することにより、当該嗜好情報データベースＤＢＰを更新するようになされている。
【００５２】
この結果、嗜好情報管理部２４は、ユーザにより視聴中のテレビジョン番組における一場面に対してなされた評価結果である評価信号ＳＶを、そのテレビジョン番組の当該一場面から抽出し当該一場面と深い関連性を有するキーワードＫＷに対する嗜好の現れと見なし、嗜好値ＶＰを更新することになる。
【００５３】
すなわち嗜好情報管理部２４は、キーワードＫＷと嗜好値ＶＰとの組み合わせにより、テレビジョン番組の一場面におけるユーザの印象や感想等を表すと共に、これを嗜好情報データベースＤＢＰに蓄積し更新していくようになされている。
【００５４】
（２−３）テレビジョン番組の検索
また番組記録再生装置１は、嗜好情報アイコンＩＣの表示中に、ユーザによりリモートコントローラ７を介してテレビジョン番組の検索を行う指示を受け付けた場合、直前に評価されたキーワードＫＷを用いてテレビジョン番組を検索するようになされている。
【００５５】
検索処理部２５は、図５に示すように、ＥＰＧ検索器２５Ａを有している。このＥＰＧ検索器２５Ａは、キーワード抽出部２３（図１）からキーワードＫＷが供給されると、ハードディスクドライブ２１のＥＰＧデータベースＤＢＥから、今後放送予定のテレビジョン番組のうち番組名や解説情報等に当該キーワードＫＷを含むテレビジョン番組を検索する。
【００５６】
検索処理部２５は、キーワードＫＷを含むテレビジョン番組を検出できた場合、その番組名等を検索結果情報ＳＲとして映像信号処理部１５へ供給する。また検索処理部２５は、キーワードＫＷを含むテレビジョン番組を検出できなかった場合、その旨を検索結果情報ＳＲとして映像信号処理部１５へ通知する。
【００５７】
これに応じて映像信号処理部１５は、検索結果情報ＳＲとして取得したテレビジョン番組の番組名を映像信号ＳＶにより表される映像の一部（例えば右下部分等）に配置した出力映像信号ＳＶＯを生成する。これにより番組記録再生装置１は、図６に示すように、モニタ装置により表示される表示画面Ｐ２上に番組名文字列ＴＬを表示させ、テレビジョン番組が検出されたことをユーザに通知するようになされている。
【００５８】
ここで番組記録再生装置１は、ユーザによりリモートコントローラ７を介して録画予約指示を受け付けた場合、番組名文字列ＴＬにより表されているテレビジョン番組の録画を予約するようになされている。
【００５９】
因みに番組記録再生装置１は、キーワードＫＷを含むテレビジョン番組を検出できなかった場合、番組名文字列ＴＬに代えてテレビジョン番組を検出できなかった旨を表示するようになされている。
【００６０】
また番組記録再生装置１は、キーワードＫＷが複数抽出されていた場合、それぞれのキーワードＫＷについてテレビジョン番組を検索するようになされている。この場合、番組記録再生装置１は、例えば図７に示すように、専用の検索結果表示画面Ｐ３をモニタ装置に表示させ、それぞれのキーワードＫＷについての検索結果を表示するようになされている。
【００６１】
さらに番組記録再生装置１は、キーワード抽出アイコンＩＣを表示していないときに、すなわちキーワード抽出部２３によりキーワードＫＷを抽出していないときにテレビジョン番組の検索を行う指示を受け付けた場合、嗜好情報管理部２４により嗜好情報データベースＤＢＰに蓄積されているキーワードＫＷのうち嗜好値ＶＰが比較的大きい複数のキーワードＫＷを選択し、検索処理部２５によりテレビジョン番組を検索するようになされている。
【００６２】
この場合、番組記録再生装置１は、例えば図７に示したような検索結果表示画面Ｐ３をモニタ装置に表示させ、それぞれのキーワードＫＷについての検索結果を表示するようになされている。
【００６３】
このように番組記録再生装置１は、ユーザの操作指示に応じて、抽出されたキーワードＫＷを含むテレビジョン番組を検索して提示し、又は嗜好値ＶＰが比較的大きいキーワードＫＷを選択した上で当該キーワードＫＷを含むテレビジョン番組を検索し提示するようになされている。
【００６４】
（３）処理手順
次に、番組記録再生装置１が嗜好情報データベースＤＢＰを更新する処理およびテレビジョン番組を検索する処理について、図８、図９及び図１０のフローチャートを用いてそれぞれ説明する。
【００６５】
（３−１）嗜好情報更新処理
実際上、番組記録再生装置１の制御部２は、テレビジョン番組の受信を開始する際、図８に示す嗜好情報更新処理手順ＲＴ１を開始してステップＳＰ１へ移る。ステップＳＰ１において制御部２は、キーワード抽出部２３により字幕情報ＴＸからキーワードＫＷを抽出させ、次のステップＳＰ２へ移る。
【００６６】
ステップＳＰ２において制御部２は、キーワード条件ＣＫに合致するキーワードＫＷ、すなわち有効なキーワードＫＷを抽出できたか否かを判定する。ここ否定結果が得られると、このことはキーワードＫＷに基づく嗜好情報データベースＤＢＰの更新を行い得ないことを表しており、このとき制御部２はステップＳＰ１０へ移る。
【００６７】
一方、ステップＳＰ２において肯定結果が得られると、制御部２は、抽出したキーワードＫＷに基づく嗜好情報データベースＤＢＰの更新を行うべく、次のステップＳＰ３へ移る。
【００６８】
ステップＳＰ３において制御部２は、嗜好情報管理部２４によって、新たに抽出したキーワードＫＷが嗜好情報データベースＤＢＰに既に登録されているか否か、すなわち当該キーワードＫＷに対する嗜好値ＶＰが既に対応付けられているか否かを判定する。ここで肯定結果が得られると、制御部２は、当該嗜好値ＶＰを更新するべく、次のステップＳＰ４へ移る。
【００６９】
ステップＳＰ４において制御部２は、嗜好情報管理部２４によって当該キーワードＫＷに対応付けられている嗜好値ＶＰを読み出し、次のステップＳＰ６へ移る。
【００７０】
一方、ステップＳＰ４において否定結果が得られると、このことは当該キーワードＫＷに対して初めての評価を行うことになるため、次のステップＳＰ５へ移り、当該キーワードＫＷに対応する嗜好値ＶＰとして初期値（すなわち０．５）を設定し、次のステップＳＰ６へ移る。
【００７１】
ステップＳＰ６において制御部２は、映像信号処理部１５によりキーワード抽出アイコンＩＣを表示画面Ｐ１（図４）に表示させ、次のステップＳＰ７へ移る。
【００７２】
ステップＳＰ７において制御部２は、ユーザからテレビジョン番組を検索する旨の操作指示を受け付けたか否か、すなわちテレビジョン番組の検索処理を行うか否かを判定する。ここで肯定結果が得られると、制御部２は次のサブルーチンＳＲＴ２へ移って番組検索処理を行った上で（詳しくは後述する）、その次のステップＳＰ８へ移る。
【００７３】
一方、ステップＳＰ７において否定結果が得られると、制御部２は次のステップＳＰ８へ移る。
【００７４】
ステップＳＰ８において制御部２は、ユーザにより評価操作が行われたか否か、すなわちリモートコントローラ７の「興味あり」ボタン又は「興味なし」ボタンのいずれかが押下されたか否かを判定する。ここで肯定結果が得られると、制御部２は次のステップＳＰ９へ移る。
【００７５】
ステップＳＰ９において制御部２は、押下された「興味あり」ボタン又は「興味なし」ボタンに応じて肯定評価信号ＳＶＰ又は否定評価信号ＳＶＮを嗜好情報管理部２４へ供給することにより、当該嗜好情報管理部２４によってキーワードＫＷに対する嗜好値ＶＰを増減させると共に嗜好情報データベースＤＢＰを更新させ、次のステップＳＰ１０へ移る。
【００７６】
一方、ステップＳＰ８において否定結果が得られると、このことはユーザにより何ら評価がなされなかったため、キーワードＫＷに対する嗜好値ＶＰを更新する必要がないことを表しており、このとき制御部２は次のステップＳＰ１０へ移る。
【００７７】
ステップＳＰ１０において制御部２は、例えば録画済番組の再生を開始する等の理由で放送中のテレビジョン番組の受信を終了したか否かを判定する。ここで否定結果が得られると、このことはユーザが当該テレビジョン番組を継続して視聴中であるため、次のキーワードＫＷについても一連の処理を繰り返すべく、再度ステップＳＰ１へ戻る。
【００７８】
一方、ステップＳＰ１０において肯定結果が得られると、次のステップＳＰ１１へ移って嗜好情報更新処理手順ＲＴ１を終了する。
【００７９】
（３−２）番組検索処理
番組記録再生装置１の制御部２は、嗜好情報更新処理手順ＲＴ１（図８）のステップＳＰ７において肯定結果が得られた場合、図９に示す番組検索処理手順ＳＲＴ２を開始し、ステップＳＰ２１へ移る。
【００８０】
ステップＳＰ２１において制御部２は、検索処理部２５によって、ハードディスクドライブ２１に記憶しているＥＰＧデータベースＤＢＥからキーワードＫＷを含むテレビジョン番組を検索し、次のステップＳＰ２２へ移る。
【００８１】
ステップＳＰ２２において制御部２は、検索されたテレビジョン番組の番組名を番組名文字列ＴＬとして表示画面Ｐ２（図６）上に表示させた後、次のステップＳＰ２３へ移ってこの番組検索処理手順ＳＲＴ２を終了し、元の嗜好情報更新処理手順ＲＴ１（図８）へ戻る。
【００８２】
（４）動作及び効果
以上の構成において、番組記録再生装置１の制御部２は、キーワード抽出部２３によって放送中のテレビジョン番組等からキーワードＫＷを抽出させ、キーワード抽出アイコンＩＣを表示画面Ｐ１（図４）に表示させることによりユーザに評価を促し、その評価結果を基に、嗜好情報管理部２４によって当該キーワードＫＷに対応する嗜好値ＶＰを増減させ、嗜好情報データベースＤＢＰを更新する。
【００８３】
また番組記録再生装置１の制御部２は、ユーザからテレビジョン番組の検索を行う指示を受け付けた場合、キーワード抽出部２３によって直前に抽出されたキーワードＫＷを含むテレビジョン番組を、検索処理部２５によってＥＰＧデータベースＤＢＥから検索させ、検索されたテレビジョン番組の番組名を番組名文字列ＴＬとして表示画面Ｐ２上（図６）に表示させる。
【００８４】
従って番組記録再生装置１は、テレビジョン番組の一場面に対するユーザの評価を基に、当該一場面に関連性が高いキーワードＫＷに対する嗜好値ＶＰを増減させることができるので、テレビジョン番組の各場面に対するユーザの細かい嗜好を、当該キーワードＫＷを介して嗜好情報データベースＤＢＰに高く反映させることができる。
【００８５】
このとき番組記録再生装置１は、有効なキーワードＫＷが得られる度に各キーワードＫＷについてユーザに評価を促すため、テレビジョン番組における細かな場面ごとにユーザの嗜好を得ることができ、例えばテレビジョン番組単位で評価を行うような場合と比較して、嗜好情報データベースＤＢＰにおけるユーザの嗜好の反映度合いを高めることができる。
【００８６】
また番組記録再生装置１は、字幕情報ＴＸを基にキーワードＫＷを抽出するため、テレビジョン番組の一場面と関連性が非常に高いキーワードＫＷを多数抽出することができ、これらの多数のキーワードＫＷを用いて嗜好情報データベースＤＢＰを更新することにより、ユーザの嗜好を多面的に表すことができる。
【００８７】
さらに番組記録再生装置１は、キーワード抽出アイコンＩＣの表示中にテレビジョン番組の検索を行う指示を受け付けた場合、直前に評価されたキーワードＫＷを用いてテレビジョン番組を検索し表示するため、評価を行う際に、具体的にどのようなテレビジョン番組が検索されるのかを認識した上で評価を行うことができ、ユーザの単なる嗜好に加えて当該ユーザの意図を嗜好情報データベースＤＢＰに反映させることができる。
【００８８】
そのうえ番組記録再生装置１は、キーワード条件ＣＫに合致するキーワードＫＷを抽出できたときに表示画面Ｐ１にキーワード抽出アイコンＩＣを表示してユーザに評価を促すため、テレビジョン番組の視聴を中断する必要が無く、ユーザに不快感を与える可能性が極めて低い。
【００８９】
このとき番組記録再生装置１は、リモートコントローラ７に設けられた「興味ある」ボタン又は「興味ない」ボタンのいずれかを押下させるといった簡単な操作でユーザに評価を行わせることができるため、当該ユーザに煩わしさを与えること無く、視聴中のテレビジョン番組に対するユーザの素直な評価が得られることを期待できる。
【００９０】
以上の構成によれば、番組記録再生装置１は、放送中のテレビジョン番組からキーワードＫＷを抽出し、ユーザにこの時点における評価を行わせ、その評価結果を基に、当該キーワードＫＷに対応する嗜好値ＶＰを増減させることにより、テレビジョン番組の一場面に対するユーザの評価を基に、当該一場面に関連性が高いキーワードＫＷに対する嗜好値ＶＰを増減させることができるので、嗜好情報データベースＤＢＰにユーザの嗜好を高い精度で反映させることができる。
【００９１】
（５）他の実施の形態
なお上述した実施の形態においては、キーワード条件ＣＫに合致するキーワードＫＷを抽出した際に、キーワード抽出アイコンＩＣを表示画面Ｐ１に表示するようにした場合について述べたが、本発明はこれに限らず、例えば評価を促すメッセージや抽出されたキーワードＫＷを文字として表示するようにし、或いは所定の音や音声等を再生する等、種々の手段によってキーワードＫＷを抽出したことを提示しユーザに評価を促すようにしても良い。
【００９２】
特にキーワードＫＷを文字として表示する際、当該キーワードＫＷについて過去に評価されたことがあり既に嗜好値ＶＰが付されている場合、当該嗜好値ＶＰを合わせて表示することにより、新たな評価の参考にさせるようにしても良い。
【００９３】
また上述した実施の形態においては、ユーザに評価をさせる際、リモートコントローラ７の「興味あり」ボタン又は「興味なし」ボタンを押下させるようにした場合について述べたが、本発明はこれに限らず、例えば表示画面Ｐ１（図４）の右下部分にスライドバーを表示し、リモートコントローラ７のカーソルボタン（図示せず）等によって当該スライドバーを段階的又は連続的にスライドさせることにより評価値の入力とするようにし、或いは嗜好値ＶＰの数値を直接表示してカーソルボタン等により当該数値を増減させるようにする等、他の種々の手法により評価させるようにしても良い。さらには、複数の手法を切り換え得るようにしておき、予めユーザにいずれの手法を用いるか選択させるようにしても良い。
【００９４】
この場合、嗜好値ＶＰの増減幅としては、スライドバーの状態や増減された数値等に応じて適宜定めるようにすれ良い。また、「興味あり」ボタン又は「興味なし」ボタンの押下による評価を行う場合に、嗜好値ＶＰに対して一定の値０．１を加減する以外にも、所定の係数を乗じ、或いは所定の関数を用いるなどして当該嗜好値ＶＰを増減するようにしても良い。
【００９５】
さらには、例えばカメラ等の撮像手段を有する画像認識装置５０（図１）によりユーザを撮像し、撮像した画像に対して画像認識処理を施すことにより、うなずき等の動作や落ち着きのなさ等といったユーザの行動を認識し、これを基に当該ユーザによるテレビジョン番組に対する評価を推測するようにしても良く、或いはマイクロホン等の集音手段を有する音声認識装置６０（図１）によりユーザの発する音声を集音し、集音した音声に対して音声認識処理を施すことにより、笑い声等の発声内容を認識し、これを基に当該ユーザのテレビジョン番組に対する評価を推測するようにしても良い。
【００９６】
さらに上述した実施の形態においては、嗜好情報更新処理手順ＲＴ１（図８）において、登録済みのキーワードＫＷがある場合にはその嗜好値ＶＰを読み出すようにした場合について述べたが（ステップＳＰ３〜ＳＰ５）、本発明はこれに限らず、例えばキーワードＫＷが登録済みであっても、当該キーワードＫＷに対する新たな評価のみに基づいて嗜好値ＶＰを決定する等しても良い。
【００９７】
さらに上述した実施の形態においては、嗜好情報更新処理手順ＲＴ１（図８）において、ユーザの操作に応じてテレビジョン番組を検索するようにした場合について述べたが（ステップＳＰ７及び番組検索処理ＳＲＴ２）、本発明はこれに限らず、例えば無条件でテレビジョン番組を検索するようにし、或いはキーワードＫＷの抽出時には一切テレビジョン番組を検索しないようにする等しても良い。
【００９８】
さらに上述した実施の形態においては、キーワード抽出アイコンＩＣを表示画面Ｐ１に表示した際に、ユーザから何ら応答がなかった場合には嗜好値ＶＰを変化させないようにした場合について述べたが、本発明はこれに限らず、例えばユーザから応答がなかったことを否定的な評価と見なし、このとき抽出していたキーワードＫＷに対する嗜好値ＶＰを減少させる等しても良い。
【００９９】
さらに上述した実施の形態においては、複数のキーワードＫＷを用いてテレビジョン番組の検索を行った際の検索結果として、専用の検索結果表示画面Ｐ３（図７）を全体的に表示させるようにした場合について述べたが、本発明はこれに限らず、例えば当該検索結果表示画面Ｐ３の背景を半透明とし、テレビジョン番組の映像に重畳して表示させ、或いは当該検索結果表示画面Ｐ３を子画面としてテレビジョン番組の映像の一部領域に重畳して表示する等、種々の表示手法により検索結果を提示するようにしても良い。
【０１００】
さらに上述した実施の形態においては、放送中のテレビジョン番組を受信しているときにキーワードＫＷを抽出してユーザに評価を促すようにした場合について述べたが、本発明はこれに限らず、例えば録画済番組を再生するときに字幕情報ＴＸからキーワードＫＷを抽出してユーザに評価を促すようにし、或いはＤＶＤ（Digital Versatile Disc）等のパッケージメディアに格納されている映像コンテンツやストリーミング配信される映像コンテンツ等の種々の映像コンテンツを再生する際に、字幕情報ＴＸや文字情報等からキーワードＫＷを抽出してユーザに評価を促すようにする等しても良い。
【０１０１】
さらに上述した実施の形態においては、テレビジョン番組の字幕情報ＴＸからキーワードＫＷを抽出するようにした場合について述べたが、本発明はこれに限らず、例えばクローズド・キャプションや補足情報のような各種文字データ等、映像コンテンツの一場面に対応付けられた種々の文字列からキーワードＫＷを抽出するようにしても良い。
【０１０２】
さらに上述した実施の形態においては、検索処理部２５（図１）によって、今後放送されるテレビジョン番組の中からテレビジョン番組を検索するようにした場合について述べたが、本発明はこれに限らず、例えば録画済番組の中からキーワードＫＷを含む録画済番組を選択するようにし、或いは家庭内やネットワーク上のビデオサーバ（図示せず）等に格納されている映像コンテンツのなかからキーワードＫＷを含む映像コンテンツを検索し、さらには放送予定のテレビジョン番組、録画済番組、映像コンテンツの区別無く検索する等しても良い。また、検索の対象としてはテレビジョン番組や映像コンテンツ等のタイトルに限らず、解説や説明等の付加されている文字情報を用いても良い。
【０１０３】
さらに上述した実施の形態においては、複数のキーワードＫＷを用いてテレビジョン番組を検索する際、それぞれのキーワードＫＷについて検索を行うようにした場合について述べたが、本発明はこれに限らず、例えば複数のキーワードＫＷの論理積（ＡＮＤ）や論理和（ＯＲ）を一つの検索条件としてテレビジョン番組の検索を行うようにしても良い。
【０１０４】
さらに上述した実施の形態においては、キーワードＫＷを抽出したときのみ嗜好情報データベースＤＢＰを更新するようにした場合について述べたが、本発明はこれに限らず、例えば録画済番組がハードディスクドライブ２１から削除された際に、当該録画済番組の字幕情報ＴＸに含まれていたキーワードＫＷに関する嗜好値ＶＰを減少させるようにし、或いは新たなキーワードＫＷを嗜好情報データベースＤＢＰに登録してから所定期間（例えば１ヶ月）が経過すると、当該キーワードＫＷの嗜好値ＶＰを所定量減少させる等、他の種々のタイミングでも嗜好情報データベースＤＢＰを更新するようにしても良い。
【０１０５】
さらに上述した実施の形態においては、テレビジョン番組を録画する番組記録再生装置１に本発明を適用するようにした場合について述べたが、本発明はこれに限らず、例えばテレビジョン放送の受信機能を有し液晶パネル等の表示手段を有するテレビジョン装置や、いわゆるセットトップボックスのようなテレビジョン受信機、映像コンテンツのストリーミング配信サーバ又はビデオサーバ等に接続され映像コンテンツの受信や再生等を行うコンテンツプレーヤ等に本発明を適用するようにしても良い。この場合、例えばパーソナルコンピュータや携帯電話機等の情報処理装置において所定のコンテンツ再生プログラムを実行させたものであっても良い。
【０１０６】
さらに上述した実施の形態においては、嗜好情報更新プログラムや番組検索プログラム等の各種プログラムをＲＯＭ４に格納しておくようにした場合について述べたが、本発明はこれに限らず、各種プログラムを図示しないＣＤ−ＲＯＭ（Compact Disc-Read Only Memory）メディアや図示しないメモリースティック（ソニー株式会社の登録商標）等のような着脱自在の記憶媒体から読み出して直接実行し、又はＲＡＭ５やフラッシュメモリ（図示せず）にインストールして実行するようにしても良く、さらにはＵＳＢインタフェース（図示せず）やＩＥＥＥ８０２．１１ａ／ｂ／ｇ等に準拠した無線ＬＡＮインタフェース、或いはテレビジョン放送波等を介して各種プログラムを取得して実行するようにしても良い。
【０１０７】
さらに上述した実施の形態においては、文字情報取得部としての字幕デコーダ２２と、キーワード抽出部としてのキーワード抽出部２３と、提示部としての映像信号処理部１５と、嗜好値設定部としての嗜好情報管理部２４と、記憶部としてのハードディスクドライブ２１とによって嗜好抽出装置としての番組記録再生装置１を構成する場合について述べたが、本発明はこれに限らず、その他種々の回路構成でなる文字情報取得部と、キーワード抽出部と、提示部と、嗜好値設定部と、記憶部とによって嗜好抽出装置を構成するようにしても良い。
【産業上の利用可能性】
【０１０８】
本発明は、映像コンテンツを再生する種々の電子機器でも利用できる。
【図面の簡単な説明】
【０１０９】
【図１】番組記録再生装置の構成を示すブロック図である。
【図２】視聴区間とユーザの嗜好との関係を示す略線図である。
【図３】キーワード抽出部の構成を示すブロック図である。
【図４】キーワード抽出アイコンの表示の説明に供する略線図である。
【図５】検索処理部の構成を示すブロック図である。
【図６】検索された番組名の表示（１）の説明に供する略線図である。
【図７】検索された番組名の表示（２）の説明に供する略線図である。
【図８】嗜好情報更新処理手順を示すフローチャートである。
【図９】番組検索処理手順を示すフローチャートである。
【符号の説明】
【０１１０】
１……番組記録再生装置、２……制御部、３……ＣＰＵ、４……ＲＯＭ、７……リモートコントローラ、１５……映像信号処理部、１８……音声信号処理部、２１……ハードディスクドライブ、２２……字幕デコーダ、２３……キーワード抽出部、２３Ａ……形態素解析器、２３Ｂ……キーワード抽出器、２４……嗜好情報管理部、２５……検索処理部、ＳＶＯ……出力映像信号、ＴＸ……字幕情報、ＭＲ……形態素、ＫＷ……キーワード、ＣＫ……キーワード条件、ＳＲ……検索結果情報、ＩＣ……キーワード抽出アイコン、ＶＰ……嗜好値、ＳＶ……評価信号、ＴＬ……番組名文字列。
【図１】
2008124574.tif 000003
【図２】
2008124574.tif 000004
【図３】
2008124574.tif 000005
【図４】
2008124574.tif 000006
【図５】
2008124574.tif 000007
【図６】
2008124574.tif 000008
【図７】
2008124574.tif 000009
【図８】
2008124574.tif 000010
【図９】
2008124574.tif 000011